(57)【要約】【課題】白髪の１本〜複数本程度の部分的な染毛や、グラデーションとなるように染める領域ごとに髪の毛を多色に染め分ける等の塗布作業、および、毛髪の１本〜複数本程度の部分的な脱色剤塗布が容易にできる毛髪用塗布具を提供する。【解決手段】毛髪用塗布液を貯留する貯留部１３を有する塗布具本体１０と、該貯留部１３に毛髪用塗布液を保持する多孔質吸蔵体２０と、該塗布具本体１０の先端に設けられた複数の毛髪狭持部３０と、を備える毛髪用塗布具であって、該毛髪狭持部３０の少なくとも一つは多孔質塗布体３５を含み、この多孔質塗布体３０は該毛髪狭持部の毛髪と接する部分に配されていることを特徴とする。【選択図】図１
2013223656.tif 000002
【特許請求の範囲】
【請求項１】
毛髪用塗布液を貯留する貯留部を有する塗布具本体と、該貯留部に毛髪用塗布液を保持する多孔質吸蔵体と、該塗布具本体の先端に設けられた複数の毛髪狭持部と、を備える毛髪用塗布具であって、該毛髪狭持部の少なくとも一つは多孔質塗布体を含み、この多孔質塗布体は該毛髪狭持部の毛髪と接する部分に配されていることを特徴とする毛髪用塗布具。
【請求項２】
前記毛髪狭持部は、前記多孔質塗布体を含む塗布枝と、該塗布枝に毛髪を押し付け、多孔質塗布体を含まない押圧枝からなることを特徴とする請求項１に記載の毛髪用塗布具。
【請求項３】
前記塗布枝と前記押圧枝とは、挟み構造であることを特徴とする請求項２に記載の毛髪用塗布具。
【請求項４】
前記毛髪狭持部は、全てが前記多孔質塗布体を含む塗布枝からなることを特徴とする請求項１に記載の毛髪用塗布具。
【請求項５】
前記複数の塗布枝は、少なくとも一つの挟み構造を採っていることを特徴とする請求項４に記載の毛髪用塗布具。
【請求項６】
前記多孔質塗布体の気孔率が７０〜８５％の範囲にあることを特徴とする請求項１〜５の何れか一項に記載の毛髪用塗布具。
【請求項７】
前記軸本体の先端にはキャップ体が嵌着され、前記毛髪狭持部が覆われることを特徴とする請求項１〜６の何れか一項に記載の毛髪用塗布具。
【発明の詳細な説明】
【技術分野】
【０００１】
本発明は、染めたい髪の毛、例えば、白髪の１本〜複数本程度の部分的な染毛や、グラデーションとなるように染める領域ごとに髪の毛を多色に染め分ける等、および、毛髪の１本〜複数本程度の部分的な脱色剤塗布が容易にできる毛髪用塗布具に関する。
【背景技術】
【０００２】
従来より、白髪が黒髪中に１本又は複数本程度あると、非常に目立つ場合があり、そのため、１本〜複数本の白髪などを手軽に染毛できるようにした部分的な染毛に好適な染毛料塗布具などが知られている。
【０００３】
例えば、１）内部にカラー剤を流通させるための流通路が形成された中空の筒形状をなすノズル本体の先端に一対の開口溝を配置したことを特徴とする毛髪等の変色用ノズル（例えば、特許文献１参照）、２）染毛又は脱色用液剤が充填された小型容器を着脱自在に装着するピンセット状挟持具と、該ピンセット状挟持具の先端部に設けられた剤保持部と、該剤保持部に前記小型容器から染毛又は脱色用液剤を送液する導管とを備えた染毛用具（例えば、特許文献２参照）、３）髪の毛に染料を塗布する器具であって、目標の髪の毛１本だけに対して、ピンセット状等の塗布具本体の先端などに塗布体を設け、ピンセット状の塗布具本体で染めたい髪の毛を塗布体に挟んで塗布する染毛用塗布具、または、塗布具本体内に塗布液貯留室を設けると共に、塗布具本体に設けたボタンを押すことにより、染めたい髪の毛を塗布体に挟んで塗布することができる染毛用塗布具（例えば、特許文献３参照）が知られている。
【０００４】
しかしながら、上記特許文献１の毛髪等の変色用ノズルでは、染毛の作業中は、充填容器からノズルまで、適量の染毛料を吐き出し続けさせなければならず、毛束をしっかり挟み込んでいないので、確実に染毛させることができないなどの課題がある。
上記特許文献２の染毛用具では、構造的に染毛料等の直流が起きる恐れが大で、染毛料等をタレ流し続ける構造であり、好適な量となる染毛料等を流出できないなどの課題がある。
上記特許文献３の染毛用塗布具において、ピンセット状等の塗布具本体を用いたものでは、塗布体に塗布ごとに塗布液を付着する形態となるため、付着作業、塗布作業が煩雑となる課題があるものである。また、塗布具本体に設けたボタンを押すことにより塗布する構造となるものでは、塗布液貯留室から塗布体までの流出構造が具体的でなく、好適な量となる染毛料等を流出できないなどの課題があるものである。
【先行技術文献】
【特許文献】
【０００５】
【特許文献１】特開平１０−２９０７１２号公報（特許請求の範囲、実施例等）
【特許文献２】特開２００３−３１０３３７号公報（特許請求の範囲、実施例等）
【特許文献３】特開２００２−１８６５１５号公報（特許請求の範囲、実施例等）
【発明の概要】
【発明が解決しようとする課題】
【０００６】
本発明は、上記従来技術の課題等に鑑み、これを解消しようとするものであり、白髪などの１本〜複数本程度の部分的な染毛や、グラデーションとなるように染める領域ごとに髪の毛を多色に染め分ける染毛等の塗布作業が容易にできると共に、好適な量となる染毛料を染めたい髪の毛にしっかりと塗布することができる毛髪用塗布具の提供、並びに、毛髪の１本〜複数本程度の部分的な脱色剤塗布が容易にできる毛髪用塗布具を提供することを目的とする。
【課題を解決するための手段】
【０００７】
本発明者は、上記従来の課題等に鑑み、鋭意研究を行った結果、毛髪用塗布液を貯留する貯留部を有する塗布具本体と、該貯留部に毛髪用塗布液を保持する多孔質吸蔵体と、該塗布具本体の先端に設けられた複数の毛髪狭持部と、を備える毛髪用塗布具であって、該毛髪狭持部の構造を特定構造とすることにより、上記目的の毛髪用塗布具が得られることを見い出し、本発明を完成するに至ったのである。
【０００８】
すなわち、本発明は、次の（１）〜（７）に存する。
（１）  毛髪用塗布液を貯留する貯留部を有する塗布具本体と、該貯留部に毛髪用塗布液を保持する多孔質吸蔵体と、該塗布具本体の先端に設けられた複数の毛髪狭持部と、を備える毛髪用塗布具であって、該毛髪狭持部の少なくとも一つは多孔質塗布体を含み、この多孔質塗布体は該毛髪狭持部の毛髪と接する部分に配されていることを特徴とする毛髪用塗布具。
（２）  前記毛髪狭持部は、前記多孔質塗布体を含む塗布枝と、該塗布枝に毛髪を押し付け、多孔質塗布体を含まない押圧枝からなることを特徴とする上記（１）に記載の毛髪用塗布具。
（３）  前記塗布枝と前記押圧枝とは、挟み構造であることを特徴とする上記（２）に記載の毛髪用塗布具。
（４）  前記毛髪狭持部は、全てが前記多孔質塗布体を含む塗布枝からなることを特徴とする上記（１）に記載の毛髪用塗布具。
（５）  前記複数の塗布枝は、少なくとも一つの挟み構造を採っていることを特徴とする上記（４）に記載の毛髪用塗布具。
（６）  前記多孔質塗布体の気孔率が７０〜８５％の範囲にあることを特徴とする上記（１）〜（５）の何れか一項に記載の毛髪用塗布具。
（７）  前記軸本体の先端にはキャップ体が嵌着され、前記毛髪狭持部が覆われることを特徴とする上記（１）〜（６）の何れか一項に記載の毛髪用塗布具。
【発明の効果】
【０００９】
本発明によれば、白髪などの１本〜複数本程度の部分的な染毛、並びに、グラデーションとなるように染める領域ごとに髪の毛を多色に染め分ける染毛等の塗布作業が手を汚さずに、染毛料を不要に消費することなく、容易にできると共に、好適な量となる染毛料を染めたい髪の毛にしっかりと塗布することができる毛髪用塗布具が得られるという特有の効果を奏する。また、毛髪の１本〜複数本程度の部分的な脱色剤塗布が容易にできる毛髪用塗布具が得られるという特有の効果を奏する。
【図面の簡単な説明】
【００１０】
【図１】本発明の毛髪用塗布具の実施形態の一例を示すものであり、（ａ）は正面図、（ｂ）は側面図、（ｃ）斜視図である。
【図２】図１の毛髪用塗布具にキャップ体を被覆した状態の正面視の一例であり、（ａ）はその縦断面図、（ｂ）は正面図、（ｃ）は底面図である。
【図３】図１の毛髪用塗布具にキャップ体を被覆した状態の側面視の一例であり、（ａ）はその縦断面図、（ｂ）は側面図である。
【図４】本発明の染毛料塗布具の実施形態の他例を示すものであり、（ａ）は正面図、（ｂ）は縦断面図、（ｃ）は斜視図である。
【図５】図４の染毛料塗布具にキャップ体を被覆した状態の正面視の一例であり、（ａ）はその縦断面図、（ｂ）は正面図、（ｃ）は底面図である。
【発明を実施するための形態】
【００１１】
以下に、本発明の実施形態を図面を参照しながら詳しく説明する。
図１〜図３は、本発明の毛髪用塗布具の実施形態の一例を示すものである。
この実施形態の毛髪用塗布具Ａは、図１〜図３に示すように、毛髪用塗布液を貯留する貯留部１３を有する塗布具本体１０と、該貯留部１３に毛髪用塗布液を保持する多孔質吸蔵体２０と、該塗布具本体１０の先端に設けられた複数の毛髪狭持部３０と、を備えるものであり、該毛髪狭持部３０には多孔質塗布体３５を含み、この多孔質塗布体３５は該毛髪狭持部３０の毛髪と接する部分に配される構造となっている。
【００１２】
塗布具本体１０は、全体が、例えば、熱可塑性樹脂、熱硬化性樹脂、エラストマー等で形成されるものであり、断面方形状の外形部１１と、該外形部の前方側に形成された前壁部１２と、中央部に液体の染毛料を保持する多孔質吸蔵体２０を貯留する貯留部１３と、該貯留部１３の前方に先軸部１４とを有し、該先軸部１４は上記前壁部１２を貫通して前方に突出する構造となっている。また、前記塗布具本体１０の外形部１１と貯留部１３との間は、後述する毛髪狭持部３０の押圧枝が作動する作動空間部１５、１５となっている。
【００１３】
前記多孔質吸蔵体２０は、毛髪用塗布液、本実施形態では、液体染毛料を吸蔵するものであり、多孔質材料から構成されるものであれば、特に限定されず、例えば、繊維束の熱融着加工体、繊維束の樹脂加工体、フェルトの樹脂加工体、フェルトの熱融着加工体、フェルトのニードルパンチ加工体、合成樹脂製連続気泡体、各種のプラスチック粉末などを融結したポーラス体等により構成することができる。該多孔質吸蔵部材２０の気孔率は、該多孔質吸蔵体２０から液体染毛料を効率良く多孔質塗布体３５に供給できる構造となるものであれば良く、好ましくは、８５〜９５％の範囲とすることが望ましい。なお、本発明で規定する気孔率とは、吸蔵体全体の容積に対して気孔がどれくらいかを表す量であり、吸蔵体全体の容積をＶ１、気孔の容積をＶ２とすれば、１００×（Ｖ２／Ｖ１）で表すことができる。
【００１４】
上記塗布具本体１０の貯留部１３内に収容された多孔質吸蔵体２０は、その後端部が塗布具本体１０の後端部側から嵌合等により固着される塗布具本体１０と同一素材又は別の樹脂等素材にて成形される尾栓１６、本実施形態では尾栓１６に一体的に設けられる筒状の封止支持片１７、並びに、該封止支持片１７内に収容し、尾栓１６と一体である支持体１８により封止される構造となっている。この支持体１８は、このように尾栓１６と一体であってもよく、また、尾栓１６と一体でなくてもよい。
【００１５】
上記多孔質吸蔵体２０に吸蔵される液体染毛料としては、使用用途（白髪染め、カラー染め、グラデーション染め）等により好適な配合組成、粘度とすることができ、特に限定されるものでなく、種々の公知、市販の液体染毛料を使用することができる。
【００１６】
前記毛髪狭持部３０は、中央部に多孔質吸蔵体２０に連結される多孔質塗布体３５を含む塗布枝３６と、該塗布枝３６の両側に該塗布枝３６に毛髪を押し付け、多孔質塗布体３５を含まない、筒状の貯留部１３の後方側を支点として連結された、弾性を有する一対のアーム状の押圧枝３７、３７とから構成されている。この押圧枝３７は、アーム部３７ａと多孔質塗布体３５に対して挟持面となる挟持部３７ｂとにより構成されている。これにより、多孔質塗布体３５と押圧枝３７、３７とは、挟み構造となっている。この支点は塗布具本体１０の内側、尾栓１６の内側或いは貯留部１３の前方側に設けられてもよい。
【００１７】
多孔質塗布体３５は、その後端部が前記多孔質吸蔵体２０内に挿入により当接されると共に、先軸部１４内に収容した筒状支持体１９により保持されている。また、先軸部１４より露出した多孔質塗布体３５の周囲には多孔質塗布体３５を保護する枠部３８を一体に有している。この多孔質塗布体３５は、液体染毛料の蒸発抑制、使用部位のみを露出する構造とするために、少なくとも多孔質塗布体３５は吸蔵される染毛料で染めたい髪の毛をしっかりと塗布することができ、頭皮へ余分な液が付着することを防ぐことができるように、先軸部１４より好適な長さとなっており、また、枠部３７より外側に突出する構造（凸部構造）となっている。
また、この多孔質塗布体３５の材質等は、多孔質吸蔵体２０と同様の多孔質材料から構成することができ、該多孔質塗布体３５の気孔率は、多孔質吸蔵体２０から液体染毛料を効率良く多孔質塗布体に供給できる構造となるものであれば良く、好ましくは、７０〜８５％の範囲とすることが望ましい。
【００１８】
本実施形態の染毛料塗布具Ａは、不使用時には、図２及び図３に示されるように、軸本体１０の先端にはキャップ体４０が嵌着され、少なくとも前記毛髪狭持部３０が覆われる構造となっている。これにより、開口面となる多孔質塗布体３５を含む毛髪狭持部３０はキャップ体４０の内キャップ４１で覆われることとなるので、液体染毛料の付着を防止でき、また、液体染毛料の蒸発などを抑制することができることとなる。
【００１９】
本実施形態の染毛料塗布具Ａでは、塗布具本体１０内に液体染毛料を吸蔵した多孔質吸蔵体２０の前方側には多孔質塗布体３５の細棒状の後端部が挿入等により当接されることにより、多孔質吸蔵体２０の液体染毛料が多孔質塗布体３５へ効率良く供給される構成となっている。
使用に際しては、白髪を染毛する場合は、使用者の発見した白髪の１〜１０本程度を多孔質塗布体３５を含む塗布枝３６に、少なくとも一方の弾性を有する押圧枝３７の露出部分を押圧すれば、多孔質塗布体３５を含む塗布枝３６と押圧枝３７の挟持部３７ｂとで当該白髪を略平行となるように挟むことができる構造となっているので、毛先付近〜毛根付近を往復して多孔質塗布体３５に吸蔵された黒髪用の液体染毛料を簡単に白髪に塗布することができるものとなる。特に、毛先付近を多孔質塗布体３５を含む塗布枝３６と、少なくとも一方の押圧枝３７の挟持部３７ｂとで挟んで、毛先の方へ引き抜くようにスライドさせれば、手を汚すことなく、染毛料を不要に消費することなく、毛の先端まで難なくしっかりと好適な染毛料を塗布することができるもののとなる。
【００２０】
次に、図４及び図５は、本発明の毛髪用塗布具の実施形態の他例を示すものであり、上述の実施形態では、一対の押圧枝３７、３７を用いるものであったが、本実施形態では、染めたい白髪を一つの押圧枝３７と、多孔質塗布体３５を含む塗布枝３６とで挟む構造としたものである。
なお、上記図１及び図２と同様の構造となるものは、同一の図示符号を示してその説明を省略する。
【００２１】
この実施形態の毛髪用塗布具Ｂは、図４及び図５に示すように、軸本体１０に設けられる有底筒状の貯留部１３内に多孔質吸蔵体２０が収容されている。また、先軸部１４から外部に突出した多孔質塗布体３５を含む塗布枝３６の塗布面以外は塗布具本体１０に設けられる先軸１４内に嵌合により固着される棒状の保持体３９により保持される構造となっている。
【００２２】
このように構成される本実施形態の染毛料塗布具Ｂでは、軸本体１０内に液体染毛料を吸蔵した多孔質吸蔵体２０の前部内には多孔質塗布体３５の細棒状の後端部が挿入等により当接されることにより、多孔質吸蔵体２０の液体染毛料が多孔質塗布体３５へ効率良く供給される構成となっている。
使用に際しては、白髪を染毛する場合は、使用者の発見した白髪の１〜１０本程度を多孔質塗布体３５を含む塗布枝３６に、軸体１０内の外形部１１に固着された弾性を有する押圧枝３７の露出部分を押圧すれば、多孔質塗布体３５を含む塗布枝３６と押圧枝３７の挟持部３７ｂとで当該白髪を略平行となるように挟むことができる構造に設定されているので、図１〜図３に示した毛髪用塗布具と同様に、毛先付近〜毛根付近を往復して多孔質塗布体３５に吸蔵された黒髪用の液体染毛料を簡単に塗布することできる。
【００２３】
本実施形態の染毛料塗布具Ｂでは、染めたい白髪等を一つの押圧枝３７と、多孔質塗布体３５を含む塗布枝３６とで挟む構造となるので、図１〜図３で示した毛髪用塗布具よりも更に小型化することができ、しかも、染毛作業が簡単かつ容易に行うことができるものとなる。
【００２４】
このように構成される本発明の毛髪用塗布具によれば、図１〜図３及び図４〜図５の各実施形態で示したように、数本ずつ少量の染毛が可能で、部分的な染毛は勿論、液体染毛料の組成をカラー染毛料などに変更すれば多色の、例えば、グラデーションとなるように染める、領域ごとに染め分ける等の作業が容易にできるものとなる。
また、液体染毛料が多孔質吸蔵体２０に吸蔵されているため、従来技術で記載の文献１等の直液塗布具のように、塗布液である液体染毛料が直流する心配が、かなり少ないといえ、更に、多孔質塗布体３５が必要最小限の露出構造に設定されているため、より、塗布液である液体染毛料が直流する心配がなく、手を汚すことなく、染毛料を不要に消費することなく、好適な量となる染毛料を染めたい髪の毛にしっかりと塗布することができる毛髪用塗布具が得られるという特有の効果を奏するものとなる。
【００２５】
本発明の毛髪用塗布具は、上記実施形態で限定されるものでなく、本発明の要旨を変更しない範囲で種々の形態に変更することができるものである。
上記実施形態において、多孔質吸蔵体に吸蔵するものを液体染毛料としたが、液体毛髪用脱色剤としても良いものである。用いることができる液体毛髪用脱色剤としては、好適な配合組成、粘度とすることができ、特に限定されるものでなく、種々の公知、市販の液体毛髪用脱色剤を使用することができる。この液体毛髪用脱色剤を用いた毛髪用塗布具では、上記液体染毛料を用いた毛髪用塗布具と同様に特有の機能を発揮できるため、毛髪の１本〜複数本程度の部分的な脱色剤塗布が容易にできる毛髪用塗布具が得られるものとなる。
【００２６】
また、上記実施形態では、毛髪狭持部３０を、多孔質塗布体３５を含む塗布枝３６と、該塗布枝３６に毛髪を押し付け、多孔質塗布体を含まない押圧枝３７とから構成して、塗布枝３６と押圧枝３７とで挟む構造としたが、当該毛髪狭持部の全てを、多孔質塗布体を含む塗布枝から構成して、複数の塗布枝を、少なくとも一つの挟み構造を採る構成、例えば、図１〜３の毛髪用塗布具Ａ、または、図４及び図５の毛髪用塗布具Ｂの押圧枝３７を、多孔質塗布体を含む塗布枝から構成して、多孔質塗布体を含む塗布枝同士で毛髪を挟んで塗布する構造としてもよいものである。
更に、上記実施形態では、塗布枝、押圧枝を一直線上に配置しているが、例えば、三本以上の塗布枝、押圧枝の頂点を多角形の頂点となるような配置、例えば、三本の塗布枝、押圧枝を持つ実施形態であれば、それぞれの塗布枝、押圧枝の先が三角形の頂点となるような配置などに変更しても良いものである。
【実施例】
【００２７】
次に、実施例により、本発明を更に詳述するが、本発明は下記実施例等により限定されるものではない。
【００２８】
〔実施例１〕
下記構成となる図１〜図３に準拠する毛髪用塗布具を使用し、染毛料として、下記組成の液体染毛料を用いた。
（染毛料塗布具の構成）
塗布具本体：ＰＰ（ポリエチレン）製、尾栓：ＰＰ製、キャップ体：ＰＰ製
多孔質吸蔵体：ＰＥＴ（ポリエチレンテレフタレート）製繊維束（繊維：４デニール）、気孔率９０％、φ５．４×４０ｍｍ
多孔質塗布体：ＰＥＴ製繊維束（繊維：２０デニール）、気孔率８５％、φ２．６×３３ｍｍ、露出部分の長さ：１５ｍｍ、枠部：ＰＰ製
毛髪挟持部：押圧枝；ＰＰ製
【００２９】
（白髪用液体染毛料の組成：全量１００質量％）
エタノール                                      ４５．０質量％
水（精製水）                                    ４３．５質量％
ベンジルアルコール                                ５．０質量％
（アクリル酸アルキル／ジメチコン）コポリマー      ２．５質量％
乳酸                                              ３．０質量％
黒４０１（酸性染料）                              ０．２質量％
紫４０１（酸性染料）                              ０．３質量％
橙２０５（酸性染料）                              ０．５質量％
（毛髪用脱色剤の組成：全量１００質量％）
水（精製水）                                    ７０．０質量％
過酸化水素水（２０％）                          ２０．０質量％
ステアリルアルコール                              ５．０質量％
テトラデセンスルホン酸Ｎａ                        １．０質量％
乳酸                                              ４．０質量％
【００３０】
上記組成の液体染毛料を上記構成となる多孔質吸蔵部材に吸蔵させて毛髪用塗布具を得た。
この毛髪用塗布具を使用して、白髪の染毛を行った。使用者の発見した白髪（長さ１０ｃｍ程度）の１〜１０本程度を多孔質塗布体３５を含む塗布枝３６に、少なくとも一方の弾性を有する押圧枝３７の露出部分を押圧することにより、多孔質塗布体３５を含む塗布枝３６と押圧枝３７とで当該白髪を略平行となるように挟むことができるため、毛先付近〜毛根付近を往復して多孔質塗布体３５に吸蔵された黒髪用の液体染毛料を簡単に塗布させることができた。特に、毛先付近を多孔質塗布体３５を含む塗布枝３６と、少なくとも一方の押圧枝３７とで挟んで、毛先の方へ引き抜くようにスライドさせれば、手を汚すことなく、染毛料を不要に消費することなく、毛の先端まで難なくしっかりと好適な染毛料を塗布することができることを確認した。
また、上記液体染毛料を用いた毛髪用塗布具と同様にして、上記組成の毛髪用脱色剤を多孔質吸蔵部材に吸蔵させた毛髪用塗布具を作製して、１〜１０本の黒髪を脱色することを行ったところ、上記染毛作業と同様に、手を汚すことなく、脱色剤を不要に消費することなく、毛先までしっかりと脱色できることを確認した。これにより、毛髪用脱色剤を用いたものでも、毛髪の１本〜複数本程度の部分的な脱色剤塗布が容易にできる毛髪用塗布具が得られるものであった。
【産業上の利用可能性】
【００３１】
白髪の１本〜複数本程度の部分的な染毛や、グラデーションとなるように染める領域ごとに髪の毛を多色に染め分ける等の塗布作業、および、毛髪の１本〜複数本程度の部分的な脱色剤塗布が容易にできる毛髪用塗布具が得られる。
【符号の説明】
【００３２】
Ａ  毛髪用塗布具
１０  塗布具本体
１３  貯留部
２０  多孔質吸蔵体
３０  毛髪狭持部
３５  多孔質塗布体
３６  塗布枝
３７  押圧枝
４０  キャップ体
【図１】
2013223656.tif 000003
【図２】
2013223656.tif 000004
【図３】
2013223656.tif 000005
【図４】
2013223656.tif 000006
【図５】
2013223656.tif 000007